(57)【要約】【課題】残存型枠の段積の際に、残存型枠の四隅に形成した面取り部あるいは周辺に形成した切り欠溝部等が集って生じる隙間穴に着目し、この隙間穴を利用して段積した残存型枠を２枚の挟持板と１本のネジ棒とで接続固定できる。【解決手段】２枚の表用挟持板（１）及び裏用挟持板（２）と、前記表用挟持板（１）に対し、先端を下方に向け傾斜して取付けるネジ棒（３）とから成り、且つ少なくとも、前記裏用挟持板（２）の中央に前記ネジ棒（３）と螺合可能なネジ穴（２ａ）を設ける。【選択図】　　　　図１
2004019307.tif 000002
【特許請求の範囲】
【請求項１】
２枚の表用挟持板（１）及び裏用挟持板（２）と、前記表用挟持板（１）に対し、先端を下方に向け傾斜して取付けるネジ棒（３）とから成り、且つ少なくとも、前記裏用挟持板（２）の中央に前記ネジ棒（３）と螺合可能なネジ穴（２ａ）を設けたことを特徴とする残存型枠の枠組における接続金具。
【請求項２】
前記表用挟持板（１）の中央に前記ネジ棒（３）と螺合可能なネジ穴（１ａ）を設け、且つ該ネジ穴（１ａ）が下方に向け傾斜させた請求項１記載の残存型枠の枠組における接続金具。
【請求項３】
前記裏用挟持板（２）が、円盤であり、その中央部を湾曲に盛り上げて湾曲部（２ｂ）に形成し、該湾曲部（２ｂ）には、その中心に前記ネジ穴（２ａ）を設け、周面に穴部（２ｃ）を複数穿設した請求項１記載の残存型枠の枠組における接続金具。
【発明の詳細な説明】
【０００１】
【発明の属する技術分野】
本発明は、コンクリート製の擁壁，砂防ダム，橋脚等の構造物を施工する際に、型枠として使用するコンクリート製パネルである残存型枠の枠組における接続金具に関する。
【０００２】
【従来の技術】
近年、コンクリート製の構造物、例えば擁壁，砂防ダム，橋脚等を施工する場合に、その施工の容易さ、仕上の良さ及び環境との調和等から、コンクリート製パネルの残存型枠が使用されている。この残存型枠は、型枠として枠組し、打設した生コンクリートが固化した後にコンクリートの表面に固着しそのまま残存するものであって、その型枠を外す必要もなく、コンクリート構造物が施工できるものである。そしてコンクリート構造物の見えない裏側あるいは埋め戻しをする箇所に使用される残存型枠においては、その表面に石風の化粧を施す必要がなく、又、裏面から突出する型鋼やワイヤー等もないのが一般的である。このような残存型枠は、打設コンクリートとの食い付きを良くするために、多数の貫通穴あるいは裏面側に穴溝等を形成させたものである。この手の残存型枠を枠組する際には、特開２０００−１０４２６６号のように貫通穴を利用した段積用連結具によって残存型枠を接続する方法が行われている。この方法につき説明すると、つまり、貫通穴を多数有したコンクリート系でプレート状の型枠部材と、貫通穴に対応する穴を四隅に穿設させ更に中央部が凸状に湾曲され且つ少なくともその凸状部分の周面に穴部を複数穿設した板状の押えプレートと、貫通穴に対応するネジ穴が４箇所あるいは中央にもネジ穴が設けられた板状の平プレートと、ボルトとから成る段積用連結具を用意しておき、先ず始めに、予め設置した型枠部材の上部の外側に平プレートを配置すると共に型枠部材の内側に押えプレーを配置させ、且つ押えプレートをセパレーターなどの端部で支持すると共に型枠部材の内側からボルトを挿入しネジ穴に螺合させて押えプレートと平プレートの下部で型枠部材を挟持し、その後、型枠部材の上で且つ押えプレートと平プレートの間に新たな型枠部材を載置すると共に該型枠部材の内側からボルトを挿入しネジ穴に螺合させて押えプレートと平プレートの上部で新たな型枠部材を挟持して固定する方法である。
【０００３】
【発明が解決しようとする課題】
しかしながら、従来の残存型枠の接続方法では、押えプレートと平プレートとの四隅に取付けた４本のボルトが必要となり、又、このボルトを締付ける作業もしなければならない。従って、連結具の部品点数が多く連結具がコスト高となると共に、作業性の面でも時間を要し、作業効率の妨げとなる問題点を有していた。
【０００４】
本発明は、残存型枠の段積の際に、残存型枠の四隅に形成した面取り部あるいは周辺に形成した切り欠溝部等が集って生じる隙間穴に着目し、この隙間穴を利用して段積した残存型枠を２枚の挟持板と１本のネジ棒とで接続固定でき、接続が簡単で作業性がよく、且つ安価に行える残存型枠の枠組における接続金具を提供することを目的とする。
【０００５】
本発明の他の目的は、既に設置した残存型枠の上端に２枚の挟持板を略下半分で仮挟持して取付けておいても、その２枚の挟持板の上半分は残存型枠の厚さよりも開いた状態となり、新たに段積する残存型枠が２枚の挟持板間に容易に差し込むことができ、更に締付けることにより挟持板全体が上下の残存型枠を強固な接続固定を可能とする残存型枠の枠組における接続金具を提供するにある。
【０００６】
【課題を解決するための手段】
上記の課題を解決するために本発明は成されたものであり、つまり、２枚の表用挟持板（１）及び裏用挟持板（２）と、前記表用挟持板（１）に対し、先端を下方に向け傾斜して取付けるネジ棒（３）とから成り、且つ少なくとも、前記裏用挟持板（２）の中央にネジ穴（２ａ）を穿設したものである。
【０００７】
前記表用挟持板（１）の中央に前記ネジ棒（３）と螺合可能なネジ穴（１ａ）を設け、且つ該ネジ穴（１ａ）は下方に向け傾斜させるのがよい。
【０００８】
前記裏用挟持板（２）が、円盤であり、その中央部を湾曲に盛り上げて湾曲部（２ｂ）に形成し、該湾曲部（２ｂ）には、その中心にネジ穴（２ａ）を設け、周面に穴部（２ｃ）を複数穿設するとよい。
【０００９】
【発明の実施の形態】
以下、本発明の実施形態を図を基に説明する。図１は本発明の実施形態の全体を示す断面図、図２は本発明の表用挟持板を示す平面図、図３は本発明の表用挟持板を示す断面図、図４は本発明の裏用挟持板を示す斜視図、図５は本発明の裏用挟持板で他の実施形態を示す斜視図、図６、図７は本発明の接続金具の使用状態を示す説明図、図８は残存型枠の説明図である。
【００１０】
図１〜図５において、（１）は金属製の表用挟持板であり、その形状は四角形状が好ましいが、丸形あるいは多角形状でもよい。又、この表用挟持板（１）の中央に、後述するネジ棒（３）を取付けるためのネジ穴（１ａ）を設けている。このネジ穴（１ａ）は下方に向けて傾斜させたものであり、つまり前記ネジ穴（１ａ）に前記ネジ棒（３）の一端を螺合させた際に突出するネジ棒（３）が先端（他端）を下方に向け傾斜して取付けられるように、前記ネジ穴（１ａ）を傾斜させている。このネジ穴（１ａ）の形成は、図２、図３に示すように、表用挟持板（１）の中央にネジ棒（３）が入るバカ穴（１ｂ）を穿設し、そこにネジ穴（１ａ）が前記の如く傾斜させたナットを溶接で固着させたものであるが、図３（ａ）では片面が傾斜したナットを表用挟持板（１）に溶接し、そのナットのネジ穴（１ａ）を下方に傾斜させたものであり、そのネジ穴（１ａ）に螺合するネジ棒（３）がその先端を下方に向け傾斜するように取付けられる。又、図３（ｂ）では表用挟持板（１）の中央に傾斜面（１ｃ）を形成し、この傾斜面（１ｃ）に通常のナットを溶接してネジ穴（１ａ）が下方に傾斜するようにするとよい。表用挟持板（１）にプレスでバーリング加工した後に下方に傾斜するネジ山を形成しネジ穴（１ａ）としてもよい。又、表用挟持板（１）にネジ棒（３）を前記のように傾斜させて溶接で直接固着してもよく、この場合は前記ネジ穴（１ａ）が不要である。しかしながら、表用挟持板（１）にネジ棒（３）を直接溶接した場合には、商品として包装が嵩張るため、前記ネジ穴（１ａ）を有する方が好ましい。尚、表用挟持板（１）は鉄製で防錆処理をしたものであるが、好ましくはステンレスを使用するとよい。
【００１１】
（２）は金属製の裏用挟持板であり、該前記裏用挟持板（２）の形状としては、締付けで回すための円盤状が最良であるが、必ずしも円盤に限定されず、正四角形，多角形等でもよい。又、裏用挟持板（２）の中央にはネジ穴（２ａ）を設けているが、このネジ穴（２ａ）の形成は、図４に示すように、裏用挟持板（２）の中央にネジ棒（３）が入るバカ穴を穿設し、そこにナットを溶接させればよい。
【００１２】
又、図５に示すように、裏用挟持板（２）が円盤であり、その中央部を湾曲に盛り上げて湾曲部（２ｂ）に形成し、その湾曲部（２ｂ）の中心にネジ穴（２ａ）を設け、且つ湾曲部（２ｂ）の周面に穴部（２ｃ）を複数穿設させたものである。又、前記ネジ穴（２ａ）は、湾曲部（２ｂ）の中心に穴を開け、そこにナットを溶接で固着しているが、この湾曲部（２ｂ）の中心にバーリング加工を行いそれにネジ山を形成し前記ネジ穴（２ａ）としてもよい。
【００１３】
この湾曲部（２ｂ）及びに穴部（２ｃ）を形成した裏用挟持板（２）においては、打設する生コンクリートが前記穴部（２ｃ）から湾曲部（２ｂ）内に入り込み、従って裏用挟持板（２）と挟持する残存型枠（４）との隙間は生コンクリートで埋まり、外部からの水の浸入を防ぎ、よって裏用挟持板（２）の腐食を防止できる。
【００１４】
（３）はネジ棒であり、該ネジ棒（３）は前記表用挟持板（１）に対し、その略中央から先端を下方に向け傾斜して取付けられる。このネジ棒（３）を表用挟持板（１）に取付ける方法としては、前述したように直接表用挟持板（１）にネジ棒（３）の一端を溶接して固定するか、あるいは表用挟持板（１）に形成したネジ穴（１ａ）に螺合させて取付ける。このネジ棒（３）は表用挟持板（１）の裏側、つまり使用する際、残存型枠（４）と接する面側にネジ棒（３）を突出して取付けさせる。又、このネジ棒（３）の材質としてはステンレス製が好ましい。
【００１５】
次に本発明の接続金具を使用した残存型枠の接続方法を図６、図７を基に説明する。図６において、（４）は予め横列に設置固定させた残存型枠であり、該残存型枠（４）は、図８に示すように、コンクリート系の四角形状のプレート状で、通常は打設コンクリートとの接合を良くするため多数の貫通穴（４ａ）を穿設させており、且つ四隅に面取り部（４ｂ）と周辺に切り欠溝部（４ｃ）を形成させているものである。又、前記貫通穴（４ａ）は裏側が大きい穴、表側が小さい穴としている。しかしながら、本発明の接続金具を使用する場合の残存型枠は必ずしも貫通穴（４ａ）がなくともよく、要するに面取り部（４ｂ）及び切り欠溝部（４ｃ）が形成されていればよい。
【００１６】
そして、図６（ａ）で示すように予め表用挟持板（１）のネジ穴（１ａ）にネジ棒（３）を螺合させ、残存型枠（４）の表側に表用挟持板（１）を配置すると共に、ネジ棒（３）を残存型枠（４）上部の面取り部（４ｂ）同士で作られたＶ溝上あるいは切り欠溝部（４ｃ）上に水平状態で載置させる。この状態ではネジ棒（３）を表用挟持板（１）に傾斜して取付けた関係上、表用挟持板（１）は上方に行くに従って残存型枠（４）の表面から離れて開いた状態にある。次いで、残存型枠（４）の裏側からネジ棒（３）にネジ穴（２ａ）を螺合した裏用挟持板（２）を配置させ、その裏用挟持板（２）のナットを締付工具を使用して軽く締込んで行き、表用挟持板（１）と裏用挟持板（２）の下半分で残存型枠（４）を軽く挟持した仮挟持状態にする。この仮挟持状態では、表用挟持板（１）の上方が残存型枠（４）の表面より外側に開いた状態を保ち、表用挟持板（１）と裏用挟持板（２）の略上半分間は残存型枠（４）の厚さよりも開いた状態となる。そして図６（ｂ）で示すように、仮挟持させた上半分が開いた状態の両挟持板（１），（２）間に新たな残存型枠（４）を段積した後、更に裏用挟持板（２）を締付けて行くと、ネジ棒（３）あるいは表用挟持板（１）が変形し、両挟持板（１），（２）の開いた上半分が新たな残存型枠（４）を挟持し、両挟持板（１），（２）全体で上下の残存型枠（４）が強く接続固定されるのである。
【００１７】
図７は裏用挟持板（２）が、湾曲部（２ｂ）及び穴部（２ｃ）を形成したものを使用した実施形態を示したもので、図６と同様の使用手順であるから説明を省略するが、この場合に締付ける際に穴部（２ｃ）に長棒を挿入して締付けができ、作業が容易で、且つ強く確実に締付けることができる。
【００１８】
【発明の効果】
本発明は上記構成にしたことにより次の効果を有する。
【００１９】
表用挟持板（１）にネジ棒（３）が下方に向けて傾斜して取付けるため、予め設置固定された残存型枠（４）の上部に表用挟持板（１）と裏用挟持板（２）に下半分で前記残存型枠（４）を仮挟持した状態では、両挟持板（１），（２）の上半分は残存型枠（４）の厚さよりも常に広く開いた状態になり、両挟持板（１），（２）の上半分内に新たな残存型枠（４）が容易に挿入されると共に、挿入された新たな残存型枠（４）は手を離しても倒れず、残存型枠（４）から手を離した状態で裏用挟持板（２）の締付作業ができるので極めて段積の作業性がよくなる。
【００２０】
更に、本発明は２枚の挟持板（１），（２）を１本のネジ棒（３）の使用で簡単に残存型枠（４）同士を接続固定でき、従来の４本のネジを使用したものに比べ締付時間が短くなり作業性が極めてよく、又ネジの本数も少ないのでコスト的にも安価なものとなる。
【図面の簡単な説明】
【図１】本発明の実施形態の全体を示す断面図である。
【図２】本発明の表用挟持板を示す平面図である。
【図３】本発明の表用挟持板を示す断面図である。
【図４】本発明の裏用挟持板を示す斜視図である。
【図５】本発明の裏用挟持板で他の実施形態を示す斜視図である。
【図６】本発明の接続金具の使用状態を示す説明図である。
【図７】本発明の接続金具の使用状態を示す説明図である。
【図８】残存型枠の説明図である。
【符号の説明】
１　表用挟持板
１ａ　ネジ穴
２　裏用挟持板
２ａ　ネジ穴
２ｂ　湾曲部
２ｃ　穴部
３　ネジ棒
【図１】
2004019307.tif 000003
【図２】
2004019307.tif 000004
【図３】
2004019307.tif 000005
【図４】
2004019307.tif 000006
【図５】
2004019307.tif 000007
【図６】
2004019307.tif 000008
【図７】
2004019307.tif 000009
【図８】
2004019307.tif 000010